(57)【要約】    【課題】  ラフな姿勢においてもペダル操作を容易にする。    【解決手段】  操作レバー４０は、前部４１、後部４２、左部４３及び右部４４から成り、全体が、平面視長方形の枠状に構成される。サブフレーム３０の左右両端部には、軸受け部１０１、１０２が配設され、操作レバー４０の後部４２が軸受け部１０１、１０２に軸支され、前部４１が上下方向に回動自在とされる。操作レバー４０が押下されると、操作検出スイッチＳＷによってそれが検出され、押下を緩めると、バネ入りブロック９０のバネ９４によって、操作レバー４０が非押下位置に復帰する。操作レバー４０の鍵並び方向の幅Ｂ２は、２足幅長分以上確保されている。【選択図】    図２
2007025365.tif 000002
【特許請求の範囲】
【請求項１】
鍵盤装置の下方に載置されて足で操作される電子鍵盤楽器用ペダル装置であって、
ベース体と、
前記ベース体に固定的に保持された回動支点部と、
押下操作され、奏者側端部が上下方向に回動自在なように、前記回動支点部に保持されたレバー体と、
押下された前記レバー体を非押下位置に復帰させる復帰手段と、
前記レバー体の回動に連動して駆動され、前記レバー体の押下操作を検出する検出手段とを有し、
前記レバー体の前記奏者側端部の鍵並び方向における長さが、２足幅長分以上、確保されていることを特徴とする電子鍵盤楽器用ペダル装置。
【請求項２】
前記ベース体の鍵並び方向における長さが、前記レバー体の前記奏者側端部の鍵並び方向における長さよりも長いことを特徴とする請求項１記載の電子鍵盤楽器用ペダル装置。
【請求項３】
前記レバー体は、前記奏者側端部と、該奏者側端部に対向し前記回動支点部に軸支された回動軸部と、前記奏者側端部と前記回動軸部とを連結する左側、右側連結部とを有して平面視矩形または台形の枠状に形成され、前記検出手段は、前記レバー体の部分のうち前記奏者側端部以外の部分によって直接または間接的に駆動されることを特徴とする請求項１または２記載の電子鍵盤楽器用ペダル装置。
【発明の詳細な説明】
【技術分野】
【０００１】
本発明は、鍵盤装置の下方に載置されて足で操作される電子鍵盤楽器用ペダル装置に関する。
【背景技術】
【０００２】
従来、電子鍵盤楽器に付属し、サスティン、ソフト等の各種効果制御等を行うのに用いられるペダル装置が知られている。この種のペダル装置は、例えば、下記特許文献１、２にも示されるように、その操作される部分である操作部が、通常、前後方向に長いが、鍵並び方向の幅は、せいぜい１足幅長程度である。鍵盤楽器の演奏時には、通常、椅子の高さを適切に合わせ、正常な座り方をすれば、上記のような操作部の形状、サイズで十分に適切な操作が行える。
【特許文献１】実公昭５９−１１３８１号公報
【特許文献２】実開昭６０−９８８９７号公報
【発明の開示】
【発明が解決しようとする課題】
【０００３】
しかしながら、奏者が初心者であったり、椅子の高さが奏者に合っていなかったりする場合は、ペダル装置の操作部をうまく踏むことが容易でない場合もある。
【０００４】
また、今後、鍵盤装置の高さ及び椅子の高さが、著しく低いもの等、従来の画一的なものとは異なるような鍵盤装置が登場した場合は、演奏姿勢も画一的でなくなり、ラフな姿勢で操作されることも考えられる。その場合にも、従来のようなペダル装置では、その操作部を適切に踏むことが困難となり、また、操作方向が斜め方向になる場合は、ペダル装置が不安定になって、適切な操作が一層困難になることが予想される。
【０００５】
さらに、１つの鍵盤装置を２人で連弾するような場合においても、用いるペダル装置が、従来のような一般的な構成のもの１つである場合は、いずれの奏者にとっても、操作しにくい状態となる。
【０００６】
本発明は上記従来技術の問題を解決するためになされたものであり、その目的は、ラフな姿勢においてもペダル操作を容易にすることができる電子鍵盤楽器用ペダル装置を提供することにある。
【課題を解決するための手段】
【０００７】
上記目的を達成するために本発明の請求項１の電子鍵盤楽器用ペダル装置は、鍵盤装置の下方に載置されて足で操作される電子鍵盤楽器用ペダル装置であって、ベース体と、前記ベース体に固定的に保持された回動支点部（１０１、１０２）と、押下操作され、奏者側端部が上下方向に回動自在なように、前記回動支点部に保持されたレバー体（４０）と、押下された前記レバー体を非押下位置に復帰させる復帰手段（９４）と、前記レバー体の回動に連動して駆動され、前記レバー体の押下操作を検出する検出手段（ＳＷ）とを有し、前記レバー体の前記奏者側端部の鍵並び方向における長さ（Ｂ２）が、２足幅長分以上、確保されていることを特徴とする。
【０００８】
好ましくは、前記ベース体の鍵並び方向における長さ（Ｂ１）が、前記レバー体の前記奏者側端部の鍵並び方向における長さ（Ｂ２）よりも長い（請求項２）。
【０００９】
好ましくは、前記レバー体は、前記奏者側端部（４１）と、該奏者側端部に対向し前記回動支点部に軸支された回動軸部（４２）と、前記奏者側端部と前記回動軸部とを連結する左側、右側連結部（４３、４４）とを有して平面視矩形または台形の枠状に形成され、前記検出手段は、前記レバー体の部分のうち前記奏者側端部以外の部分によって直接または間接的に駆動される（請求項３）。
【００１０】
なお、上記括弧内の符号は例示である。
【発明の効果】
【００１１】
本発明の請求項１によれば、ラフな姿勢においてもペダル操作を容易にすることができる。
【００１２】
請求項２によれば、レバー体を斜め方向から押圧するような場合であっても、ペダル装置が安定し、的確な操作検出を行うことができる。
【００１３】
請求項３によれば、材料費を節約すると共に、設計の自由度を増大させることができる。
【発明を実施するための最良の形態】
【００１４】
以下、本発明の実施の形態を図面を参照して説明する。
【００１５】
図１（ａ）は、本発明の一実施の形態に係る電子鍵盤楽器用ペダル装置及び電子鍵盤楽器の外観斜視図である。本電子鍵盤楽器用ペダル装置（以下、「ペダル装置」と称する）２０は、電子鍵盤楽器１０と組み合わせて用いられ、ペダル装置２０は、使用する際には、電子鍵盤楽器１０の本体の下方に載置される。図１（ｂ）は、ペダル装置２０の外観斜視図である。
【００１６】
ペダル装置２０は、一般の電子鍵盤楽器に付随するダンパペダルと同様に、効果制御用の操作子として機能する。ペダル装置２０は、送信部１２から操作検出信号をワイヤレスで送信し、電子鍵盤楽器１０の本体の下面に設けられた受信部１１にて操作検出信号が受信される。効果制御の種類としては、ダンパ、ソフト、ソステヌート、トレモロ、サスティン、ビブラート等、各種の制御が可能であり、それらの制御切り替えは、電子鍵盤楽器１０側で行えるようになっている。
【００１７】
ペダル装置２０は、床面に設置されるベース体２１上に設けられた上カバー６０及び前カバー７０と、前カバー７０の左右２つの凹部７１、７２から延出している操作レバー４０とを有する。ベース体２１の下面の４隅には、脚部を突設してもよい。以降、ペダル装置２０の通常の載置状態において左右方向を呼称する。従って、図１（ｂ）において、凹部７１側を左側、凹部７２側を右側、操作レバー４０の自由端部側（奏者側）を前側とする。操作レバー４０は、ペダルとして機能するので、以降、「ペダル」と呼称することもある。
【００１８】
図２（ａ）は、ペダル装置２０から上カバー６０及び前カバー７０を取り外した状態を示す外観斜視図である。図２（ｂ）は、サブフレームの右端部の外観図である。図３は、操作レバー４０の裏面図である。図４は、図１（ｂ）のＡ−Ａ線に沿う断面図である。
【００１９】
図３に示すように、操作レバー４０は、前部４１、後部４２、左部４３及び右部４４から成り、全体が、平面視長方形の枠状に構成される。操作レバー４０は、アルミニウム等の金属製の丸棒が屈曲され接続部５０にて溶接されて、連続した枠体となるように構成され、材料費が削減されている。左部４３、右部４４の各後部下面には、平面状の切り欠き部４７、４９が設けられ、後部４２の右半部下面には、平面状の切り欠き部４８が設けられている。また、後部４２の左右端部近傍には、略鉛直方向に欠切された溝部４５、４６が形成されている。なお、操作レバー４０は、平面視矩形に限られず、平面視台形であってもよい。その場合、平行な２辺のうち長い方（長辺）を前部４１、後部４２のいずれとしてもよい。
【００２０】
操作レバー４０の鍵並び方向の幅はＢ２、奥行きはＤ２である。一方、図１（ｂ）に示すように、ベース体２１の鍵並び方向の幅はＢ１、奥行きはＤ１である。幅及び奥行きの寸法関係は、Ｂ１＞Ｂ２、Ｄ１＞Ｄ２となっている。ここで、操作レバー４０の幅Ｂ２は、２足幅長分以上確保されている。すなわち、人の一般的なサイズの足の横幅２つ分の寸法が確保されており、例えば、Ｂ２＝２１８ｍｍである。奥行きＤ２は、幅Ｂ２の約半分である。なお、操作レバー４０を平面視台形とした場合は、その長辺よりも、ベース体２１の幅Ｂ１を大きく設定し、奥行きに関する条件は、上記した平面視長方形の場合と同様にする。
【００２１】
図２（ａ）に示すように、ベース体２１の後部上面には、鍵並び方向に長いサブフレーム３０が配設されている。図４に示すように、サブフレーム３０は、金属板を折り曲げて一体に形成され、ベース体２１との間に空間を形成している。サブフレーム３０は、後部下部に取り付け片３６、３７を有すると共に、前部下部にも不図示の取り付け片を有し、これらの取り付け片を介して、ネジ５５及び不図示のネジでベース体２１に固定されている。また、サブフレーム３０の内側には電池収容部３８、３９が設けられ、ベース体２１の、電池収容部３８、３９に対応する位置には穴が設けられて、電池収容部３８、３９の下方から電池蓋５３がベース体２１に着脱自在に取り付けられている。
【００２２】
図２（ａ）に示すように、サブフレーム３０の左右両端部には、軸受け部１０１、１０２が配設される。左側の軸受け部１０１は、上側軸受け部材１０３と下側軸受け部材１０４とから構成され、右側の左側の軸受け部１０２は、上側軸受け部材１０５と下側軸受け部材１０６とから構成される。軸受け部１０１、１０２は左右対称であるが、互いに同様に構成される。従って、左側の軸受け部１０１の構成を説明する。
【００２３】
図５は、軸受け部１０１の分解斜視図である。上側軸受け部材１０３の下面、及び下側軸受け部材１０４には、それぞれ、操作レバー４０の後部４２が嵌合される断面半円状の凹溝１０７、凹溝１１０が形成されている。また、下側軸受け部材１０４の右側部において、凹溝１１０の後部に相当する位置には、操作レバー４０の鍵並び方向の動きを規制するためのストッパ用突片１１１が一体に形成されている。ストッパ用突片１１１の幅（厚み）は、操作レバー４０の後部４２の溝部４５が無理なく嵌合される程度に設定されている。
【００２４】
上側軸受け部材１０３の凹溝１０７と下側軸受け部材１０４の凹溝１１０との間に操作レバー４０の後部４２を嵌合し、その際、ストッパ用突片１１１に溝部４５を係合させる（図４も参照）。そして、上側軸受け部材１０３の取り付け用穴１０８、１０９及び下側軸受け部材１０４の取り付け用穴１１２、１１３を介して、サブフレーム３０に共締めすることで、軸受け部１０１がサブフレーム３０に螺着固定される。軸受け部１０２についても、取り付けの態様は同様であり、取り付け後は、操作レバー４０の後部４２の溝部４６（図３参照）が、ストッパ用突片１１１と同様の不図示のストッパ用突片に係合する。
【００２５】
このようにして、操作レバー４０の後部４２が軸受け部１０１、１０２に軸支され、前部４１が上下方向に回動自在となる。また、ストッパ用突片１１１等と溝部４５、４６との係合により、操作レバー４０の鍵並び方向の動きが規制される。
【００２６】
図２（ａ）に示すように、操作レバー４０の左部４３及び右部４４の各後部下面には、ストッパ部材９６（９６Ｌ、９６Ｒ）が取り付けられている。ストッパ部材９６Ｌ、９６Ｒは、軸受け部１０１、１０２にそれぞれ隣接して左右外側に位置する。また、サブフレーム３０の左右両端部において、ストッパ部材９６Ｌ、９６Ｒに対応する位置には、上部から前部にかけて穴３３、３３が形成されている。図２（ｂ）に示すように、穴３３は、前半部の幅広部３３ａを有し、幅広部３３ａの後方において穴３３の内側方向に、延設片３４、３４が延設されている。穴３３の構成は、延設片３４、３４も含めて左右のもの同士で同一である。
【００２７】
また、ベース体２１上の、ストッパ部材９６Ｌ、９６Ｒに対応する位置には、バネ入りブロック９０、９０が設けられている。左右のバネ入りブロック９０の構成は同一である。また、ストッパ部材９６Ｌ、９６Ｒも構成が同一であり、これらの部品の共通化が図られている。バネ入りブロック９０、ストッパ部材９６については、図６を用いて左右一方のものの構成を説明する。
【００２８】
図６（ａ）は、バネ入りブロック９０の斜視図である。図６（ｂ）、（ｃ）は、バネ入りブロック９０近傍の側面視による模式図である。同図（ｂ）は、操作レバー４０の非押下状態、同図（ｃ）は、押下終了状態を、それぞれ示す。
【００２９】
同図（ａ）に示すように、バネ入りブロック９０の前部には、貫通穴９１が設けられ、貫通穴９１に、コイル状のバネ９４が内装される（同図（ｃ）参照）。同図（ａ）、（ｃ）に示すように、バネ入りブロック９０は、後部の取り付け用穴９２を介してベース体２１上に螺着固定される。バネ入りブロック９０の前半部の上部は、前方にいくにつれて下方に傾斜する傾斜面９３となっている。
【００３０】
一方、同図（ｂ）、（ｃ）に示すように、ストッパ部材９６は、操作レバー４０の左部４３及び右部４４（図２（ａ）、（ｂ）参照）の各後部下面に、スペーサ９５を介して螺着固定されている。ストッパ部材９６には、前部から下方に垂下してさらに後方に延びる鉤部９７が一体に形成されている。鉤部９７は、ストッパ部材９６の左右両端に１つずつ設けられる。鉤部９７は、穴３３の幅広部３３ａ（図２（ｂ）参照）を貫通して延設片３４の下側に延びている。
【００３１】
バネ９４は、ストッパ部材９６の天井面（内側の下面）９６ａに常に当接し、ストッパ部材９６を介して操作レバー４０を上方に常に付勢している。ストッパ部材９６の鉤部９７が、サブフレーム３０の穴３３の後方の延設片３４の下面に当接して、操作レバー４０の非押下位置が規制される。一方、操作レバー４０が押下されると、ストッパ部材９６の天井面９６ａがバネ入りブロック９０の傾斜面９３に平行に当接して、傾斜面９３がストッパ体として機能し、操作レバー４０の押下終了位置が規制される。なお、延設片３４の下面にフェルト等の緩衝部材を貼着等で設け、鉤部９７が上記緩衝部材に当接するように構成してもよく、そのようにすれば、作動時のノイズが低減される。
【００３２】
図２（ａ）に示すように、サブフレーム３０の中央からやや右寄りの前部には、穴３１が形成され、穴３１の下方において、ベース体２１上には、操作レバー４０の操作を検出する操作検出スイッチＳＷが配設されている。また、穴３１に対応して、アクチュエータ５１が、操作レバー４０の後部４２に取り付けられている。アクチュエータ５１は、金属等の薄板で構成され、その基部が後部４２に螺着固定され、前部である自由端部が、穴３１の上方において前方に延出している。アクチュエータ５１は、操作レバー４０の後部４２の回動中心Ｐ０（図６（ｂ）、（ｃ）参照）を中心とした回動に連動して、その自由端部が上下に回動する。
【００３３】
図７は、操作検出スイッチＳＷ近傍の正面視による部分断面図である。同図では、操作レバー４０の非押下状態が示されている。操作検出スイッチＳＷは、いわゆるトランスファースイッチを利用したものである。すなわち、固定ブロック８１がネジ８２でサブフレーム３０に固定され、固定ブロック８１から左方に接点部８３が延出している。接点部８３内には、上下に揺動自在な導電性のあるリーフ接点８６が左方に延びており、上側接点８４、下側接点８５の間をリーフ接点８６が貫通している。リーフ接点８６の先端上部には、接触子８７が取り付けられており、接触子８７がアクチュエータ５１により駆動されるようになっている。
【００３４】
本実施の形態では、操作検出スイッチＳＷにおける上側接点８４は用いず、下側接点８５のみを用いて、操作レバー４０の操作を検出する。すなわち、操作レバー４０が押下されて、下方に回動すると、アクチュエータ５１及び接触子８７を介してリーフ接点８６が押下され、リーフ接点８６が接点部８３の下側接点８５に接触することで、操作レバー４０のオン操作が検出される。一方、操作レバー４０の押下が解除されると、リーフ接点８６が下側接点８５から離間し、操作レバー４０のオフ操作が検出される。
【００３５】
なお、操作レバー４０のオンオフ操作を検出できれば、他の構成のスイッチ乃至センサを用いてもよい。また、リーフ接点８６と上側接点８４とを用いてスイッチング回路を構成してもよい。その場合は、操作レバー４０の踏み込みの浅い位置で検出機能が働くので、それにふさわしい形態のペダル操作の検出に有効である。その場合の信号処理としては、上記したリーフ接点８６と下側接点８５とによるスイッチングに対して信号を反転させるだけでよい。
【００３６】
図８（ａ）、（ｂ）は、上カバー６０の正面図、底面図、図８（ｃ）、（ｄ）は、前カバー７０の正面図、底面図である。図８（ａ）、（ｂ）、図４に示すように、上カバー６０の後部には、取付部６２、６３が設けられ、組み付け後のペダル装置２０においては、取付部６２、６３が、サブフレーム３０の上部にネジ５４で固定されている。また、上カバー６０の前部上部には、複数（例えば４つ）の突部６４が一体に形成され、これら突部６４と前縁部６１との間に、それぞれ間隙６５が生じている。また、上カバー６０の前部最上部には、ＬＥＤ保持穴６６及び窓６７が形成されている。
【００３７】
図８（ａ）、（ｂ）、図４に示すように、前カバー７０は、薄板部７５に上記凹部７１、７２（図１（ｂ）も参照）が形成され、薄板部７５の左右端部の下部からは、取り付け片７３、７４が後方に向かって一体に延設形成されている。組み付け後のペダル装置２０においては、前カバー７０の上縁が、上カバー６０の間隙６５に挟持されると共に、取り付け片７３、７４が、ベース体２１に螺着固定される。
【００３８】
図２に示すように、ＬＥＤ５２は、サブフレーム３０に固定状態とされると共に、図４に示すように、上カバー６０のＬＥＤ保持穴６６に嵌合保持されている。上カバー６０の窓６７には、アクリル等の透明または半透明の透光板６８が嵌着されており、これら窓６７、透光板６８、ＬＥＤ５２、及び、サブフレーム３０の内側に収容された不図示の送信器によって、上記送信部１２（図１（ｂ）参照）が構成される。
【００３９】
ＬＥＤ５２は、赤外光を発するものであり、上記不図示の送信器と電気的に接続されている。上記送信器は、操作検出スイッチＳＷのオン検出に応じて、ＬＥＤ５２の発光を制御する。ＬＥＤ５２が所定の点滅パターンで発光することで、操作検出信号として電子鍵盤楽器１０の受信部１１（図１（ａ）参照）に無線送信される。ＬＥＤ５２を信号送信用に用いる構成は、公知の構成であり、例えば、テレビリモコン等と同じ原理を用いたものである。なお、操作検出信号は、他の方式で送信してもよく、送信する機能に限って言えば、有線で送信する構成でもよい。
【００４０】
ペダル装置２０は次のようにして組み付けられる。まず、操作レバー４０にアクチュエータ５１及びストッパ部材９６を取り付け、サブフレーム３０に、操作レバー４０が回動自在となるように、軸受け部１０１、１０２を固定する（図２参照）。そして、前カバー７０の上縁を上カバー６０の間隙６５に挟持させて仮付け状態とし、その状態で、上カバー６０の取付部６２、６３を、サブフレーム３０の上部に裏側からネジ５４で固定する（図４、図８参照）。
【００４１】
一方、ベース体２１には、バネ入りブロック９０を固定する。その後、サブフレーム３０に仮付け状態で組み付けられた前カバー７０の取り付け片７３、７４を、ベース体２１に裏側から螺着固定する。それと共に、サブフレーム３０をベース体２１に下方から螺着固定する。これにより、ペダル装置２０が完成する。
【００４２】
かかる構成において、電子鍵盤楽器１０の受信部１１の下方に送信部１２が位置するように、ペダル装置２０を床面に載置し、奏者は、鍵盤演奏と共に、ペダル装置２０の操作レバー４０の主に前部４１を足で踏むことで、押下操作をする。押下操作によって、上記のように操作検出信号が電子鍵盤楽器１０に送信され、そのとき設定されている効果制御が、発音される楽音に対して施される。押下を緩めると、バネ入りブロック９０のバネ９４の付勢力によって、操作レバー４０が非押下位置に復帰する。
【００４３】
本実施の形態によれば、操作レバー４０の前部４１の幅Ｂ２を、２足幅長分以上確保したので、奏者が初心者であったり、椅子の高さが奏者に合っていなかったりして適切な姿勢をとらなかったとしても、操作レバー４０を容易に押下操作することができる。特に、電子鍵盤楽器１０が一般の電子鍵盤楽器に比し高さが低く、椅子も低いものであったとして、足を伸ばすような姿勢で操作する場合にも、操作レバー４０が長いので、操作しやすい。よって、ラフな姿勢で操作される場合であっても、操作レバー４０を適切に押下操作することが容易である。また、１つの電子鍵盤楽器１０をスプリット等を利用して２人で連弾するような場合においても、１つのペダル装置２０をいずれの奏者にとっても操作容易にすることができ、２者並行操作も可能である。
【００４４】
また、ベース体２１の幅Ｂ１、奥行きＤ１は、いずれも、操作レバー４０の幅Ｂ２、奥行きＤ２より長く、平面視でベース体２１の内側に操作レバー４０が配置されている（図２（ａ）参照）。演奏姿勢によっては、操作レバー４０を真っ直ぐ下方でなく、やや斜め後方や斜め左右の方向に押下する場合もあり得るが、そのようなラフな踏み方であっても、上記構成により、ペダル装置２０が安定し、的確な押下操作乃至操作検出がなされるようにすることができる。
【００４５】
しかも、演奏操作中において、ストッパ用突片１１１等と溝部４５、４６との係合により（図５参照）、操作レバー４０の鍵並び方向の動きが規制される。従って、仮に、操作レバー４０の左右の端部を踏み込んだり、斜め前方上方から斜め後方下方に踏み込んだりしても、操作レバー４０が横振れを起こすことなく安定して回動し、確実にスイッチングする。よって、操作レバー４０を踏み外すようなことが少なく、操作性を高くすることができる。
【００４６】
また、操作レバー４０の回動保持機構（軸受け部１０１、１０２等）、上下位置規制機構及び原位置復帰機構（ストッパ部材９６、バネ入りブロック９０）を、ベース体２１乃至サブフレーム３０の左右端部において集中配置したので（図２（ａ）参照）、全体をコンパクトにすることができる。しかも、操作検出スイッチＳＷにおけるリーフ接点８６（図７参照）が鍵並び方向（左方）に延びているので、前後方向のスペースの浪費を少なくすることができる。
【００４７】
また、前カバー７０は、上カバー６０に仮付けされた状態でベース体２１に本固定されるので、前カバー７０及び上カバー６０の組み付け作業が容易である。また、前カバー７０の存在によって、演奏中に奏者のつま先が上カバー６０の内側に入って引っ掛かるような不都合が回避される。それだけでなく、上記の回動保持機構、上下位置規制機構、原位置復帰機構、及び操作レバー４０の操作検出機構（操作検出スイッチＳＷ、アクチュエータ５１）等の主要な機構部群が、前カバー７０及び上カバー６０によって覆われているので、それらの機構部群に埃等が付着することを抑制し、諸機能を適切に維持することができる。
【００４８】
また、アクチュエータ５１（図２（ａ）参照）は、操作レバー４０の後部４２に固定されたので、操作レバー４０の前部４１の下方には部品が存在しない広い空間が生じ、操作レバー４０の操作性を高めると共に、設計の自由度が増し、外観も向上している。かかる観点からは、アクチュエータ５１は、操作レバー４０の後部４２に固定することに限られず、左部４３の後部または右部４４の後部に固定してもよい。なお、接触子８７は、アクチュエータ５１を介して操作レバー４０によって間接的に駆動されるとしたが、後部４２、左部４３の後部または右部４４の後部によって直接的に駆動されるように構成してもよい。
【図面の簡単な説明】
【００４９】
【図１】本発明の一実施の形態に係る電子鍵盤楽器用ペダル装置及び電子鍵盤楽器の外観斜視図（図（ａ））、並びにペダル装置の外観斜視図（図（ｂ））である。
【図２】ペダル装置から上カバー及び前カバーを取り外した状態を示す外観斜視図（図（ａ））、及びサブフレームの右端部の外観図（図（ｂ））である。
【図３】操作レバーの裏面図である。
【図４】図１（ｂ）のＡ−Ａ線に沿う断面図である。
【図５】軸受け部の分解斜視図である。
【図６】バネ入りブロックの斜視図（図（ａ））、及びバネ入りブロック近傍の側面視による模式図（図（ｂ）、（ｃ））である。
【図７】操作検出スイッチ近傍の正面視による部分断面図である。
【図８】上カバーの正面図（図（ａ））、底面図（図（ｂ））、及び前カバーの正面図（図（ｃ））、底面図（図（ｄ））である。
【符号の説明】
【００５０】
１０  電子鍵盤楽器（鍵盤装置）、  ２０  ペダル装置（電子鍵盤楽器用ペダル装置）、  ２１  ベース体、  ４０  操作レバー（レバー体）、  ４１  前部（奏者側端部）、  ４２  後部（回動軸部）、  ４３  左部（左側連結部）、  ４４  右部（右側連結部）、  ９４  バネ（復帰手段）、  １０１、１０２  軸受け部（回動支点部）、  ＳＷ  操作検出スイッチ（検出手段）、  Ｂ１、Ｂ２  幅
【図１】
2007025365.tif 000003
【図２】
2007025365.tif 000004
【図３】
2007025365.tif 000005
【図４】
2007025365.tif 000006
【図５】
2007025365.tif 000007
【図６】
2007025365.tif 000008
【図７】
2007025365.tif 000009
【図８】
2007025365.tif 000010